(57)【要約】    【課題】  壁面などの取付部とシャワーパイプとの間隔を調整可能とすることにより、シャワーパイプやシャワーパイプに別に接続される部材・部品の接続作業・固定作業を簡便・確実に行うことができ、シャワー装置の美観も損ねないシャワーパイプの支持構造を提供すること。    【解決手段】  一端側が水栓本体５に、他端側がシャワーヘッド９に、それぞれ接続されるシャワーパイプ４を壁面２に支持固定するシャワーパイプ４の支持構造２０において、ねじ部２６を備え壁面２に固定される固定用ねじ２２と、シャワーパイプ４を支持固定すると共に固定用ねじ２２のねじ部２６にねじ込み具合が自在に螺着される固定用金具２９とを設けた。    【選択図】    図２
2005282102.tif 000002
【特許請求の範囲】
【請求項１】
一端側が水栓本体などの別の部材・部品に、他端側がシャワーヘッドに、それぞれ接続されるシャワーパイプを壁面などの取付部に支持固定するためのシャワーパイプの支持構造であって、
ねじ部を備え前記取付部に固定される固定用ねじと、
前記シャワーパイプを支持固定すると共に前記固定用ねじのねじ部にねじ込み具合が自在に螺着される固定金具とを備えたことを特徴とするシャワーパイプの支持構造。
【請求項２】
前記固定用ねじは、前記取付部に対して複数以上の部位においてねじ止め固定されたことを特徴とするシャワーパイプの支持構造。
【発明の詳細な説明】
【技術分野】
【０００１】
本発明は、一端側が水栓本体などの別の部材・部品に、他端側がシャワーヘッドに、それぞれ接続されるシャワーパイプを壁面などの取付部に支持固定するためのシャワーパイプの支持構造に関する。
【背景技術】
【０００２】
従来、一端側が水栓本体などの別の部材・部品に、他端側がシャワーヘッドに、それぞれ接続されるシャワーパイプを壁面などの取付部に支持固定するためのシャワーパイプの支持構造が知られている。例えば図６に示すように、従来の支持構造７０では、まず、中央にねじ挿通孔７１が設けられた固定金具７３が、ねじ７４によって壁面２にねじ止め固定されている。この固定金具７３の外周面には雄ねじが刻設されている。一方、シャワーパイプ４にはその外周面に固定リング７６が取り付けられており、この固定リング７６の外周面には、固定リング７６の軸方向と直交して壁面２方向に向けて、円筒状の接続部７８が突設されている。接続部７８の内周面には雌ねじが刻設されており、この接続部７８内に、先端に接続部７８外径と同径のフランジ８０が周設された接続金具８２がねじ込まれている。そして、このフランジ８０を抱え込むようにして、袋ナット８４が固定金具７３の雄ねじにねじ込まれて、接続金具８２端面と固定金具７３端面とが当接する状態位置において、壁面２に対してシャワーパイプ４が固定されている。（例えば、特許文献１参照。）。
【０００３】
【特許文献１】実開平２−１１２７５８号公報（図３）
【発明の開示】
【発明が解決しようとする課題】
【０００４】
上記した従来のシャワーパイプの支持構造７０では、袋ナット８４を締めきって接続金具８２と固定金具７３とが当接した位置にて壁面２とシャワーパイプ４との間隔が決められることとなる。このため、例えば、シャワーパイプ４の別の部位に水栓本体などが接続され、またこの水栓本体が壁面２に固定される場合、水栓本体などを壁面２に固定する際に、水栓本体などと壁面２との間隔と、上記した固定金具７３と壁面２との間隔とが対応していないと、いずれかの部品の壁面２に対する位置決めがあらかじめ決められたものと異なってしまうため、いずれかの部品の壁面２への固定作業が困難となったり、無理に固定を行ったためにシャワーパイプ４が傾いて固定されてしまい、シャワー装置の美観を損ねたり、場合によっては、水栓本体の接続部などにおいて水密が確実には行えないなど部品の接続そのものができなくなるなどの問題が生じていた。近年では、水栓本体にシャワー装置を追加して使用するなどの要望も増加しているが、浴室などに既に設置された既設の水栓本体に新たにシャワーパイプを接続する場合などには、水栓本体と壁面などとの間隔と、シャワーパイプと壁面などとの間隔をあらかじめ対応させることが考慮されてはいないので、特にこのような問題が生じやすい。
【０００５】
本発明は上記した従来のシャワーパイプの支持構造の問題点を解消するものであり、シャワーパイプの支持構造において、壁面などの取付部とシャワーパイプとの間隔を調整可能とすることにより、シャワーパイプやシャワーパイプに別に接続される部材・部品の接続作業・固定作業を簡便・確実に行うことができ、シャワー装置の美観も損ねないシャワーパイプの支持構造を提供することを目的とする。
【課題を解決するための手段】
【０００６】
以上の課題を解決するために、本発明の採った手段を以下に説明する。本発明のシャワーパイプの支持構造は、
一端側が水栓本体などの別の部材・部品に、他端側がシャワーヘッドに、それぞれ接続されるシャワーパイプを壁面などの取付部に支持固定するためのシャワーパイプの支持構造であって、
ねじ部を備え前記取付部に固定される固定用ねじと、
前記シャワーパイプを支持固定すると共に前記固定用ねじのねじ部にねじ込み具合が自在に螺着される固定金具とを備えたことを特徴とするシャワーパイプの支持構造である（請求項１）。
【０００７】
このように、まず、取付部に対して固定される固定用ねじと、この固定用ねじに対してはねじ込み具合が自在に螺着される固定金具とを備えることにより、固定金具の固定用ねじに対するねじ込み具合を調節することによって取付部と固定金具との間隔を微調整することができる。よって、例えば、シャワーパイプに接続された水栓本体を取付部に固定した後にシャワーパイプを取付部に固定する際において、水栓本体と取付部との間隔が所定値よりも異なることとなってしまった場合にも、取付部に対するシャワーパイプの距離を適切に設定してシャワーパイプを支持固定することができる。
【０００８】
本発明において「部材・部品」とは、シャワーパイプに接続される水栓本体やその他の機能部品や、別の支持部材などシャワーパイプに接続される部材・部品を広く含む。「取付部」とは、浴室の壁面や、天井面、床面、カウンターなど、シャワーパイプが設置されて取り付けられる部材・部品を広く含む。
【０００９】
また上記したシャワーパイプの支持構造において、前記固定用ねじは、前記取付部に対して複数以上の部位においてねじ止め固定されているものとすることができる（請求項２）。
【００１０】
上記した支持構造では、取付部に固定される固定用ねじに対して固定金具がねじ込み具合自在に螺着されるのであるが、取付部の複数以上の部位においてねじ止め固定することによって、取付部への支持構造の取付作業時において、固定用ねじに固定金具をねじ込む際に固定用ねじが固定金具と共に共回りしてしまうことを防止できる。また、支持構造の取付後においては、いったん取り付けた固定用ねじが振動などにより回転しないようにして、固定用ねじの取付部に対する緩みを防止することができる。
【発明の効果】
【００１１】
本発明は上記のように構成され、シャワーパイプやシャワーパイプに別に接続される部材・部品と取付部との間隔を適切なものとすることができるので、シャワーパイプやこれらの部材・部品の接続作業・固定作業を簡便・確実に行うことができる。また、シャワーパイプが傾いて取り付けられることもないのでシャワー装置の美観を損ねることもない。
【発明を実施するための最良の形態】
【００１２】
次に、本発明のシャワーパイプの支持構造２０の実施の形態を図を参考にして詳細に説明する。図１に示すように、本発明の支持構造２０は、浴室１の壁面２の前面に設置されるシャワー装置３に用いられるものであり、シャワー装置３のシャワーパイプ４を壁面２に支持固定するために用いられている。このシャワー装置３は、壁面２裏側から引きまわされる配管６に接続された水栓本体５から、シャワーパイプ４を経てシャワーヘッド９からシャワー散水を行うものである。
【００１３】
配管６は壁面２裏側からその前面に突設されており、さらに、この配管６に継ぎ手７が接続されて継ぎ手７の先端に水栓本体５が接続固定されている。水栓本体５には、湯側の配管６及び水側の配管（図示省略）が接続されており、温度調節ハンドル８の操作によりこれらの湯及び水を水栓本体５内において適宜量混合して、温度調節ハンドル８によってあらかじめ設定された湯温の湯水を、水栓本体５背面側に接続固定されたシャワーパイプ４へと流出させる。なお、シャワーパイプ４は水栓本体５に対しては、その軸心周りに回動自在に接続固定されている。
【００１４】
シャワーパイプ４は、先端が下方に向けて湾曲された逆Ｊ字状に形成されたステンレスパイプなどの剛性管であり、本発明の支持構造２０により壁面２に対して固定されている。シャワーパイプ４の先端にはシャワーパイプ４先端に対して揺動自在にシャワーヘッド９が取り付けられている。シャワー装置３の使用者は、このシャワーヘッド９を適宜の方向に向けてシャワーヘッド９からの散水を全身に浴びることができる。また、後述するようにシャワーパイプ４は支持構造２０に対して回動自在に取り付けられており、シャワーヘッド９の位置を水平方向に揺動させて、所望の位置から散水を行うこともできる。
【００１５】
次いで支持構造２０について説明する。図２乃至図４に示すように、支持構造２０は、固定用ねじ２２と、第一固定金具３０と第二固定金具４６とからなる固定用金具２９とを備えている。固定用ねじ２２は、ほぼ円盤状の固定部２４と、この固定部２４の中心から前方に突設された円柱状のねじ部２６とからなる。円盤状の固定部２４の中心を挟んで対向する部位には、ねじ１０が挿通固定される二つの挿通孔２８がそれぞれ穿設されている。また、ねじ部２６の外周面には、後述する第一固定金具３０が螺着される雄ねじが刻設されている。
【００１６】
第一固定金具３０は、固定用ねじ２２に螺着される円筒形状の螺着部３２と、シャワーパイプ４を支持するほぼ半円筒形状の支持部３４とから構成される。螺着部３２は、その内周面には固定用ねじ２２のねじ部２６に螺着される雌ねじが、その外周面にはカバー１４が螺着される雄ねじが、それぞれ刻設されている。また、この螺着部３２の軸心方向と直交する方向にシャワーパイプ９を支持する凹部３５が形成された支持部３４が連設されている。凹部３５には上記した螺着部３２の内周面に通じる開口部３６が開設されている。
【００１７】
また、凹部３５の長手方向と直交する方向を長手方向として、後述するスペーサー５０が嵌合する嵌合凹部３７が凹設されている。嵌合凹部３７はスペーサー５０の外形に対応する形状に凹設されており、この嵌合凹部３７にスペーサー５０がはまり込むことによってスペーサー５０が第一固定金具３０に嵌合固定される。なお、後述する第二固定金具４６の凹部３５’にも同様な嵌合凹部３７’が凹設されており、この嵌合凹部３７’にも同様にスペーサー５０がはまり込むように構成されている。
【００１８】
また、図３及び図４に示すように、支持部３４の合わせ面３３の一方の中央付近からは固定用凸部３８が突設され、他方の合わせ面には固定用凹部４０が凹設されている。固定用凸部３８には、支持部３４の長手方向に沿って、ねじ孔３９が穿設されている。また、固定用凹部４０の上方の取付部４１ａには、ねじ１１の先端が露呈されないように取付部４１ａの途中までに穿設されたねじ孔３９が形成されている。また、固定用凹部４０の下方の取付部４１ｂには、ねじ１１がその奥側まで挿入される挿入孔４２が凹設されており、この挿入孔４２の奥端には、挿通されるねじ１１の頭１２が係止される取付孔４４が開口されている。
【００１９】
カバー１４は、図２及び図４に示すように、高さの低い有底円筒状に全体が形成されており、中心部分には、第一固定金具３０の螺着部３２が螺着される雌ねじが刻設された内筒部１６が突設されている。また、カバー１４の外周縁からは内筒部１６と反対方向に突設された外筒部１８が形成されている。
【００２０】
次いで、第二固定金具４６について説明する。第二固定金具４６は、第一固定金具３０の支持部３４にほぼ相当する形状に形成されている。支持部３４’には凹部３５’が設けられ、凹部３５’には嵌合凹部３７’が形成されている。また、合わせ面３３’には固定用凸部３８’及び固定用凹部４０’が設けられ、ねじ孔３９’挿入孔４２’などが形成されている。
【００２１】
そして、シャワーパイプ４の外周面に滑り止め用のスリットを有する円筒状のスペーサー５０（例えば、ポリアセタール（ＰＯＭ）等の樹脂製）が装着されて、このスペーサー５０を嵌合凹部３７，３７’に嵌合させるようにして、第二固定金具４６の固定用凸部３８’が第一固定用金具３０の固定用凹部４０内に挿入され、第一固定金具の固定用凸部３８が第二固定用金具の固定用凹部４０’内に挿入され、それぞれの挿入孔４２，４２’からねじ孔３９，３９’にねじ１１がねじ込まれて、第一固定金具３０と第二固定金具４６とがねじ１１により固定されている。このようにしてシャワーパイプ４は固定金具２９に固定されるが、シャワーパイプ４は固定金具２９内において、その軸心周りには回動自在に固定されているので、図１に示すシャワーヘッド９の位置を水平方向に揺動させて適当な位置から散水を行うことができる。また、スペーサー５０が固定金具２９とシャワーパイプ４外周面との間に介在されることにより、シャワーパイプ４を円滑に回動させることができ、また、固定金具２９内でのシャワーパイプ４のがたつきを抑えることもできる。
【００２２】
このように構成されるシャワーパイプ４の支持構造２０を取り付けるには以下の方法による。まず、図１に示すように、シャワーパイプ４を接続した水栓本体５を壁面２に取り付ける。本例の場合には、壁面２から突設される配管６に対して継手７を接続固定し、さらに継手７をナットなどを介して水栓本体５に接続固定する。次いで、支持構造２０によりシャワーパイプ４を壁面２に固定する。まず、固定用ねじ２２を壁面２に固定する。挿通孔２８にねじ１０をそれぞれ挿通しつつ固定部２４を壁面２に当接させてねじ１０を壁面２にねじ込む。また、あらかじめ第一固定金具３０の螺着部３２にカバー１４をねじ込んでおく。
【００２３】
次いで、カバー１４をねじ込んでおいた第一固定金具３０の螺着部３２の雌ねじに固定用ねじ２２のねじ部２６をねじ込むようにして、螺着部３２をねじ部２６に螺着する。この際に、既に壁面２に対して位置決め固定された水栓本体５の位置によって、シャワーパイプ４の壁面２に対する位置決めも適切になされなくてはならない。シャワーパイプ４の位置決めは、これを固定する固定金具２９の壁面２に対する位置により定まるが、上記のように第一固定金具３０と固定用ねじ２２とのねじ込み具合により固定金具２９と壁面２との間隔を微調整することができる（正確には、シャワーパイプ４の方向が定まっているので、支持部３４の長手方向がシャワーパイプ４の方向に合うように支持部３４を半回転ずつ回転させることによる調整が可能である）。よって、壁面２に対する水栓本体５の位置に関わらず、壁面２に対するシャワーパイプ４の位置を細かく設定することができる。
【００２４】
そして、スペーサー５０が取り付けられたシャワーパイプ４を第一固定金具３０の凹部３５内に収容させるようにして、第二固定金具４６を第一固定金具３０に組み付け、ねじ１１を挿通孔４２からねじ孔３９にねじ込んで第一固定金具３０と第二固定金具４６を固定し、シャワーパイプ４を固定金具２９に支持させる。固定金具２９は、既に説明したように第一固定金具３０と第二固定金具４６とに別体に形成され、シャワーパイプ４を両固定金具３０，４６とで挟み合わせれば固定金具２９にシャワーパイプ４を支持できるので、例えば円筒状の支持構造にシャワーパイプ４を挿通した上でシャワーパイプ４の位置決め作業を行うなどの必要はなく、支持構造２０へのシャワーパイプ４の支持作業を容易に行うことができる。また、固定用ねじ２２に対する第一固定金具３０のねじ込み量の調節だけで、極めて簡単にシャワーパイプ４と壁面２との間隔を調整できる。
【００２５】
そして最後に、壁面２に対して固定金具２９が位置決め固定された状態で、螺着部３２に対するカバー１４のねじ込み具合を調節して、カバー１４の外筒部１８の端部が壁面２に当接するように位置決めして、固定用ねじ２２などを完全に被覆する。
【００２６】
次いで、別の実施の形態について図５を参照して説明する。なお、上記した第一の実施の形態と共通する構成については、第一の実施の形態と同一の符号を図に付して説明を省略する。この支持構造５２では、固定用ねじ５４の全体が壁面２側に底部５６を有する円筒形状に形成され、底部５６に開設された挿通孔５８に壁面２表側方向から挿通したねじ１０によって、この固定用ねじ５４を壁面２にねじ止め固定するものである。固定用ねじ５４の外周面には、上記した第一の実施の形態の固定用ねじ２２のねじ部２６と同様に雄ねじが刻設されており、この雄ねじに第一固定金具６０の雌ねじが螺着される。また、この支持構造５２では、第一固定金具６０の螺着部３２には雄ねじは刻設されておらず、カバー６２は固定用ねじ５４の雄ねじに螺着されている。カバー６２は、その内筒部６４が、外筒部１８と同じく壁面２に当接するように、内筒部６４及び外筒部１８の端部が同一平面に含まれる位置にまで延接されている。内筒部６４の壁面２側の小径部６６の内周面には、上記したように螺着部３２が螺着される雌ねじが刻設されている。また、第一固定金具６０側は、小径部６６よりも大径の内径に形成された大径部６８とされており、この大径部６８内に、固定用ねじ５４に螺着された第一固定金具６０の螺着部３２が収容されている。なお、この支持構造５２では、カバー６２の内筒部６４，外筒部１８の端部と固定用ねじ５４の壁面２側端部とは、壁面２に凹凸がなければ常に同一平面に含まれる位置に位置決めされるので、あらかじめそのような位置に位置決めされた一体の部品として、カバー６２と固定用ねじ５４を形成することとしてもよい。
【００２７】
この支持構造５２では、上記した第一の実施の形態の支持構造２０と異なり、固定用ねじ５４の壁面２への固定は１本のねじ１０を用いるだけで足り、また、固定用ねじ５４自体にも支持構造２０のように固定部２４を設けていないので、材料の使用量を少なくすることができ製造コストをより削減することができる。しかしながら、支持構造の壁面２への取付作業時において第一固定金具を固定用ねじに螺着する際に固定用ねじが共回りしてしまうことを防止したり、取付後に、振動などによって固定用ねじが壁面２に対して緩んでしまうことを防止するためには、２本のねじ１０を用いて壁面２に固定する支持構造２０のような支持構造が望ましい。
【００２８】
なお、本発明は上記した実施の形態に限られるものではなく、本発明の趣旨の範囲内で種々の変更が可能である。例えば、上記した実施の形態では、固定用ねじ２２，５４側に雄ねじを、第一固定金具３０，６０側に雌ねじを刻設して両者を螺着しているが、雄雌を逆にしても良い。また、固定金具２９は、上記した第一固定金具３０，６０や第二固定金具４６の形状に限られることはなく他の形状でもよい。また、第一固定金具３０，６０と第二固定金具４６のように別体に形成されたものに限られず、また、逆に三つ以上の部品から構成されるものでもよい。
【００２９】
このように、上記した支持構造では、特に水栓本体５に限られることなく、シャワーパイプ４が接続される他の部材・部品などシャワーパイプ４の壁面２に対する間隔が決められている部材・部品を備えるシャワー装置において、このような部材・部品を実際に壁面２に固定する際に、壁面２とこのような部品・部材との間隔があらかじめ決められた間隔と異なってしまう場合であっても、上記したように、本発明の支持構造を用いることにより壁面２とシャワーパイプ４との間隔を微調整することができる。よって、他の部材・部品の壁面２への接続・固定や、支持構造自体の壁面２への接続・固定を簡便・確実に行うことができ、また、シャワーパイプ４が傾いて固定されるなどシャワー装置３の美観を損ねることもない。
【図面の簡単な説明】
【００３０】
【図１】本発明のシャワーパイプの支持構造を用いたシャワー装置の側面図である。
【図２】支持構造の側面視縦断面図である。
【図３】支持構造の正面視縦断面図である。
【図４】支持構造の分解斜視図である。
【図５】別の支持構造の側面視縦断面図である。
【図６】従来のシャワーパイプの支持構造の側面視縦断面図である。
【符号の説明】
【００３１】
１；浴室、２；壁面、３；シャワー装置、４；シャワーパイプ、５；水栓本体、６；配管、７；継手、８；温度調節ハンドル、９；シャワーヘッド、１０；ねじ、１１；ねじ、１２；頭、１４；カバー、１６；内筒部、１８；外筒部、２０；支持構造、２２；固定用ねじ、２４；固定部、２６；ねじ部、２８；挿通孔、２９；固定用金具、３０；第一固定金具、３２；螺着部、３３；合わせ面、３４，３４’；支持部、３５，３５’；凹部、３６；開口部、３７，３７’；嵌合凹部、３８，３８’；固定用凸部、３９，３９’；ねじ孔、４０，４０’；固定用凹部、４１ａ，４１ａ’，４１ｂ，４１ｂ’；取付部、４２，４２’；挿入孔、４４，４４’；取付孔、４６；第二固定金具、５０；スペーサー、５２；支持構造、５４；固定用ねじ、５６；底部、５８；挿通孔、６０；第一固定金具、６２；カバー、６４；内筒部、６６；小径部、６８；大径部、７０；支持構造、７１；ねじ挿通孔、７３；固定金具、７４；ねじ、７６；固定リング、７８；接続部、８０；フランジ、８２；接続金具、８４；袋ナット８４。
【図１】
2005282102.tif 000003
【図２】
2005282102.tif 000004
【図３】
2005282102.tif 000005
【図４】
2005282102.tif 000006
【図５】
2005282102.tif 000007
【図６】
2005282102.tif 000008